(57)【要約】【課題】  ペットボトル飲料を身体（臀部近傍）に密着させつつ携行するときに、歩行の邪魔にならないようにする。【解決手段】  腰回りに装着したポーチに入れて携帯するペットボトルを前提として、縦寸法および長手幅寸法に比して短手幅寸法を小さくするとともに、長手幅が構成する片側面を緩やかな曲率の凹湾曲面１１とし、この凹湾曲面に、複数の溝状凹部１４を形成する。全体形状を薄型にして、少なくとも片側面を凹湾曲面としたので、ポーチの中にペットボトルを納めて携行するときに、ペットボトルの湾曲面が臀部の湾曲面に当接し、揺動をおさえることが出来る。【選択図】    図１
0003157075.tif 000002
【実用新案登録請求の範囲】
【請求項１】
腰回りに装着したポーチに入れて携帯するペットボトルであって、
当該ペットボトルは、
縦寸法および長手幅寸法に比して短手幅寸法を小さくするとともに、
長手幅が構成する片側面を緩やかな曲率の凹湾曲面とし、
この凹湾曲面に、複数の溝状凹部を形成したことを特徴とする携帯用ペットボトル。
【請求項２】
ペットボトルの開口を上、底面を下としたときに、上下の略中心部を結ぶ線から離れた位置に当該線と平行に設定した仮想軸、または、上下の略中心部を結ぶ線から離れた位置に当該線と垂直に設定した仮想軸を、凹湾曲面の円弧の形成軸とすることを特徴とする請求項１記載の携帯用ペットボトル。
【請求項３】
凹湾曲面に設ける溝状凹部は、縦横にそれぞれ複数形成することを特徴とする請求項１または請求項２のいずれか一項に記載の携帯用ペットボトル。
【請求項４】
凹湾曲面を形成した長手幅の他方面および短手幅の面は、凸湾曲面または湾曲しない平板面であることを特徴とする請求項１〜請求項３のいずれか一項に記載の携帯用ペットボトル。
【考案の詳細な説明】
【技術分野】
【０００１】
本考案は、ウェストからヒップにかけての身体部位に密着させて携帯するペットボトルに係り、とくに、パークゴルフ等のプレー時に携帯しても邪魔にならないペットボトルの形状改良に関する。
【背景技術】
【０００２】
水やスポーツドリンク等の清涼飲料は、スポーツ時や長時間歩行（いわゆるウォーキング）時に水分補給のため必要不可欠である。清涼飲料を入れる肉薄透明樹脂製の所謂ペットボトル（プラスチックボトル）は，ポリエチレンテレフタレート（ＰＥＴ）を原料とする透明容器であり、軽量であって、持ち歩きする分には非常に便利であるとされる。
【０００３】
市販のペットボトル飲料は、全体形状が円筒形（断面略円形）または角筒形（断面略矩形）を呈しているので、そのまま手持ちして歩いたり背負っているリュックに収納して携行するぶんには良い.。
【０００４】
しかしながら、従来のペットボトルでは携帯に不便が生ずる場合もある。このような問題を解決する提案として、下記の特許文献１が知られている。これは、ペットボトルを所謂ブック型にして、奥行きの寸法を小さくしたものである。ペットボトルをブック型にすることによって、通勤時に使用されるビジネス用の薄型カバンに収納しやすくなるし、冷蔵庫にも多段積みして収納しやすくなるなどの利点が生まれる。
【先行技術文献】
【特許文献】
【０００５】
【特許文献１】特開２００４−１７５４２２号
【考案の開示】
【考案が解決しようとする課題】
【０００６】
問題は、ペットボトルを身体に密着させて携行する場合のフィーリングの悪さである。従来のペットボトル飲料に使用される容器の形状は、内容量、輸送時の強度、商品陳列時の見栄え、バッグやカバンに入れての持ちやすさ等を総合的に勘案して設計されたものであって、腰回りに装着した携帯ポーチを用い、身体部位に密着させた状態で携帯することを想定していない。
【０００７】
このため、市販のペットボトルや特許文献１に係るペットボトルは、身体に密着させて携行することは考慮されていない。
【０００８】
しかしながら、身体に密着させて携行するケース（使用態様）は少なくない。例えば、リュック等のバッグを使用できない場合、あるいは手にペットボトルを持つことが好ましくない状況である。これは、例えば、パークゴルフのプレー時、身体の健全や強化を図る目的で行われるウォーキング時などである。
【０００９】
パークゴルフの場合は、自身がゴルフクラブをもってコースを歩きつつプレーするため、プレーを妨げるリュックを背負うこともないし、キャディが付いたりカートを利用することもない。また、健康増進のためのウォーキングは、単なる散歩と違って、バランスのとれた正しい姿勢で歩行することが必要であり、歩行時間も短いため、リュックを背負ったり、手に荷物をもったりすることは好ましくないとされる。もちろん、ウォーキング時にはビジネス鞄のような薄型カバンを携行するケースも少ないから、ペットボトルをブック型にしても問題は解決しない。
【００１０】
そこで、本考案の目的は、腰回りに係着できるポーチ（専用ポーチ等）を利用することによってペットボトル飲料を身体（臀部近傍）に密着させつつ携行するときに、歩行の邪魔にならないペットボトル容器を提供することにある。
【課題を解決するための手段】
【００１１】
前記目的を達成して、課題を解決するため、本考案に係る携帯用ペットボトルは、腰回りに装着したポーチに入れて携帯するペットボトルであって、当該ペットボトルは、縦寸法および長手幅寸法に比して短手幅寸法を小さくするとともに、長手幅が構成する片側面を緩やかな曲率の凹湾曲面とし、この凹湾曲面に、複数の溝状凹部を形成した（請求項１）。
【００１２】
請求項２は、ペットボトルの開口を上、底面を下としたときに、上下の略中心部を結ぶ線から離れた位置に当該線と平行に設定した仮想軸、または、上下の略中心部を結ぶ線から離れた位置に当該線と垂直に設定した仮想軸を、凹湾曲面の円弧の形成軸とする。
【００１３】
請求項３は、凹湾曲面に設ける溝状凹部は、縦横にそれぞれ複数形成することを特徴とする。
【００１４】
請求項４は、凹湾曲面を形成した長手幅の他方面および短手幅の面は、凸湾曲面または湾曲しない平板面であることを特徴とする。
【考案の効果】
【００１５】
本考案に係る携帯用ペットボトルによれば、全体形状を、縦寸法および長手幅寸法に比して短手幅寸法が小さな、いわゆる薄型形状とするとともに、長手幅の片側面（長手幅によって構成される面の片側面）を緩やかな曲率の凹湾曲面としたので、ポーチの中にペットボトルを納めて携行するときに、ペットボトルの湾曲面が臀部の湾曲面に当接する。
【００１６】
従来のペットボトルは、凸湾曲している臀部に当接する面が平板状であったから、湾曲している臀部（腰回り）の歩行時の左右の動きによってペットボトルが左右に揺動し、ゴロゴロするような感じの、意識の集中を阻害する好ましくない携帯使用感となっていた。これに対して、本考案に係るペットボトルは凸湾曲している臀部に当接する面が凹湾曲しているので、歩行時の臀部の動きにも揺動しにくく、歩行時のフィーリングを良好に改善できる。
【００１７】
凹湾曲面には、複数の溝状凹部を形成してあるから、冷たい清涼飲料水が入っている場合にも、臀部との接触面積を減らすことが出来、ペットボトル表面の水（結露）が臀部を濡らす面積量を確実に減少できる。
【００１８】
また、溝状凹部を設けることで、臀部とペットボトルとの接触面積が減少するため、ペットボトルの飲料水の温度上昇を抑えることが出来る。
【００１９】
凹湾曲面は、ウェストから臀部にかけての身体の凸湾曲に応じて自由に設計して構わない（請求項１）。しかしながら、コストを抑えて大量生産を行う場合は、請求項２に記載したように、開口（キャップ）を上として、平面（上方）から見たときに長手幅のラインがキャップ側に凹む円弧曲線を描くようにするか、あるいは、側面から見たときに縦のラインの上下中央部が内側に凹むようにしておくことが出来る。これらの場合、凹湾曲面の円弧を形成するための中心軸は、ペットボトルの開口を上、底面を下としたときに、上下の略中心部を結ぶ線から離れた位置に当該線と平行に設定した仮想軸（平行仮想軸）、または、上下の略中心部を結ぶ線から離れた位置に当該線と垂直に設定した仮想軸（垂直仮想軸）を用いて、凹湾曲面の円弧形成軸とすることが出来る。
【００２０】
請求項３に記載したように、凹湾曲面に設ける溝状凹部を、縦横にそれぞれ複数形成した場合（格子状に形成した場合）は、身体と接触するペットボトルの表面積をより低減でき、内部の清涼飲料水の温度変化を防止しやすい。また、縦横に溝状凹部を設けることで、歩行に伴うペットボトルの揺動や上下動をより防止しやすくなる。接触面積を低減できるので、ペットボトルの表面に生じやすい結露が衣類に付着する面積も減少する。
【００２１】
臀部と当接する凹湾曲面は、少なくとも、ペットボトルの片側面だけでよい。臀部と当接しない他方の面は、歩行時の揺動とは関係がないからである。これは側面（短手幅の面）も同じである。凹湾曲面を両面にするか片側にするか、側面を湾曲させるか否かは、各種の要因、例えば、製造コストや強度等との相関で決定することができる。凹湾曲面を形成した長手幅の他方面および短手幅の面は、凸湾曲面または湾曲しない平板面として構わない（請求項４）。
【図面の簡単な説明】
【００２２】
【図１】第一の実施形態に係るペットボトルの外観を例示する斜視図である。
【図２】図１に係るペットボトルを例示する平面図である。
【図３】第二の実施形態に係るペットボトルの外観を例示する斜視図である。
【考案を実施するための形態】
【００２３】
図１、図２は、本考案に係るペットボトルの第一の実施形態を示すものである。このペットボトル１０は、身体に装着する各種のポーチ（図示せず）を利用して携帯するものであり、縦寸法Ｗ１および長手幅寸法Ｗ２に比して短手幅寸法Ｗ３を小さくするとともに、長手幅Ｗ２の片側面（長手幅Ｗ２によって構成される大きな面の片側）を緩やかな曲率の凹湾曲面１１とし、ペットボトルの開口（キャップ１２）を上、底面を下としたときに、上下の略中心部を結ぶ線から離れた位置に当該線と平行に設定した仮想軸Ｖ１を前記凹湾曲面１１の円弧形成軸とする一方、この凹湾曲面１１に、縦横に複数の溝状凹部１４を形成してある。
【００２４】
この実施形態では、凹湾曲面１１を形成した長手幅Ｗ２の他方面１６も湾曲させてある。短手幅の面１７は、湾曲しない平板面としてある。
【００２５】
この考案に係るペットボトル１０は、通常のペットボトルと同様に、合成樹脂（プラスチック）の一種であるポリエチレンテレフタレート （ＰＥＴ）を主たる材料として作る樹脂容器である。
【００２６】
パークゴルフのプレー時や、ウォーキング時に、腰回りに装着したポーチに入れて携帯するものであるから、内容量（ボトル内に入れる清涼飲料水の容量）は、市販されている普及型の５００ミリリットル容器の容量よりも少なくすることが望ましい。例えば、３００〜３９０ミリリットル、より好ましくは、例えば３５０〜３６０ミリリットル程度である。
【００２７】
３５０〜３６０ミリリットル程度の内容量があれば、パークゴルフのプレー時やウォーキング時に必要とされる水分補給量は確保できるし、内容量を少なくすることで携帯歩行時の重量負担も軽減できる。
【００２８】
このペットボトル１０は、縦寸法Ｗ１および長手幅寸法Ｗ２に比して短手幅寸法Ｗ３を小さくしてあり、内容量を３５０〜３６０ミリリットル程度とするので、全体形状は薄型で、普及型のペットボトルよりも小型のものとなる。これにより、腰回りに装着したポーチにペットボトル１０を入れて携帯しやすい形状が実現される。
【００２９】
長手幅Ｗ２の片側面（長手幅Ｗ２と縦寸法Ｗ１とによって形成される二面のうちの片側面）を緩やかな曲率の凹湾曲面１１としてあるから、当該凹湾曲面１１を凸湾曲面である臀部（腰回り；臀部側部または臀部央部等）の近傍に配置させて携行するときには、凸湾曲面である臀部にペットボトル１０の凹湾曲面１１が密着した安定状態で装着できる。このため、歩行時に臀部が動いてもペットボトル１０はゴロゴロと不安定に動くことはない。
【００３０】
凹湾曲面１１の円弧は、凸湾曲面である臀部の凸形状にフィットするよう、ペットボトル１０のキャップ１２（開口）を上、底面を下としたときに、上下の略中心部を結ぶ線から離れた位置に当該線と平行に設定した仮想線Ｖ１を円弧の形成軸とし、図２にも示すように、長手幅寸法Ｗ２が形成する面の略中央部分がボトル内部側（キャップ１２側）に接近するよう湾曲させる。
【００３１】
この凹湾曲面１１には、縦横に複数の溝状凹部１４を形成してある。冷たい清涼飲料水はペットボトル１０の表面に結露を生ずることがあるが、溝状凹部１４によって、腰回りとの接触面積が低減するので、結露水が腰回りの衣服に付着して衣類を濡らす面積を少なくすることが出来る。また溝状凹部１４によって、腰回りとの接触面積が低減するので、ペットボトル１０の内部の飲料水の温度上昇を抑える。
【００３２】
以上のように、ペットボトル１０を薄型にして長手幅Ｗ２が構成する面の片側面を凹湾曲面１１としたので、腰回りに装着して歩くときにペットボトル１０の揺動や上下動が抑えられ、パークゴルフのプレー時やウォーキング時の歩行を邪魔しない。また、溝状凹部１４を設けてあるのでペットボトル１０の動きを低減できるほか、容器の強度も保証しやすくなる。
【００３３】
図３は、本考案に係るペットボトルの第二の実施形態を示すものである。このペットボトル２０は、前記実施形態と同様、身体に装着する各種のポーチ（図示せず）を利用して携帯するものであり、縦寸法Ｗ１および長手幅寸法Ｗ２に比して短手幅寸法Ｗ３を小さくして薄型形状とするとともに、長手幅Ｗ２が構成する面の片側を緩やかな曲率の凹湾曲面２１としてある。
【００３４】
この実施形態に係る凹湾曲面２１は、ペットボトルの開口（キャップ１２）を上、底面を下としたときに、上下の略中心部を結ぶ線から離れた位置に当該線と垂直に設定した仮想軸Ｖ２を円弧の形成軸としてあり、この凹湾曲面２１に、縦横に複数の溝状凹部２４を形成してある。
【００３５】
その他の部分は前記第一の実施形態と同様であるから、同一符号を附して重複する説明を省略する。
【００３６】
かかるペットボトル２０によれば、前記第一の実施形態と凹湾曲面２１の円弧を形状が微妙に異なるとはいえ、第一の実施形態と同様に、凹湾曲面２１が凸湾曲面である臀部に当接して、装着時、歩行時の動きの安定を図ることが出来る。溝状凹部２４も、第一の実施形態と同様の作用効果を発揮する。
【００３７】
本考案に係るペットボトルは、以上の実施形態のものに限定されない。前記実施形態では、長手幅が構成する片側面のみを凹湾曲面とする旨説明したが、両面を凹湾曲面としても良いことは勿論である。また実施形態のように、長手幅が構成する片側面（１１）を凹湾曲面、他方面（１６）を凸湾曲面としても良い。
【００３８】
溝状凹部は直線的である必要はない。緩やかに湾曲するカーブを描く曲線ラインであっても良いし、ジグザグ状のラインであっても良い。長手幅が構成する片側面に形成する凹湾曲面は、曲率を過度にする必要はない。臀部の曲率にみあった緩やかな曲率であれば良い。
【００３９】
溝状凹部によって見かけ上分断される面は、凹凸のない平面であって良いが、必要に応じて小さな凹凸を形成しても良い。
【００４０】
短手寸法が形成する面（側面）は平面でなくても良い。凸湾曲させた形状としてもよい。デザインの美観や、大きさ、容量等に応じて適宜設計する。上面および底面も同様である。
【符号の説明】
【００４１】
１０、２０  ペットボトル
１１、２１  凹湾曲面
１２  キャップ（開口）
１４、２４  溝状凹部
１６  （長手幅Ｗ２が形成する面の）他方面
１７  短手幅の面
Ｗ１  縦寸法
Ｗ２  長手幅寸法
Ｗ３  短手幅寸法
Ｖ１、Ｖ２  仮想軸
【図１】
0003157075.tif 000003
【図２】
0003157075.tif 000004
【図３】
0003157075.tif 000005